(57)【特許請求の範囲】
【請求項１】
ペーパとクリップからなり、
ペーパは、合成樹脂シートの右側または左側の略半分を基部にし、他側の略半分の上側位置と下側位置にそれぞれ切り込みを左右方向に設けて、他側の略半分の上側と下側にそれぞれ帯状部を左右方向に形成し、他側の略半分の上側と下側の帯状部の間に、基部側に折り曲げる折り曲げ部を形成しており、
クリップは、ペーパの帯状部と基部を挟んで留める合成樹脂成形品であり、
ペーパの折り曲げ部を折り曲げて基部との間に毛髪を挟み、下側の帯状部が連結した基部の下側部を芯にして基部と折り曲げ部を巻き上げ、巻かれた基部に毛髪を巻き、下側の帯状部を基部側に折り曲げ、基部に巻かれた毛髪を横断した下側の帯状部の先端と、巻かれた基部の基端をクリップで挟んで留める構成にしたことを特徴とするパーマネントウエーブ形成保持具。
【発明の詳細な説明】
【０００１】
【産業上の利用分野】
本発明は、硬質合成樹脂の円筒形状の毛巻きロッドを使用しないパーマネントウエーブ形成保持具に関する。
【０００２】
【従来の技術】
湾曲可能な板状のパーマネントウエーブ形成保持具は、実開昭５９−３４７０１号、実開昭６１−１８８５０１号や特開昭６０−２２２００５号公報に開示されているように、スポンジや軟質塩化ビニールのような湾曲可能な軟質合成樹脂の長方形の板状本体にステンレス鋼や銅の針金を組み込んで、板状本体を手で湾曲してその湾曲状態に保持可能にしている。
【０００３】
パーマネントウエーブを形成するため、毛髪を巻く場合、板状本体を毛髪を挟んで巻き、毛髪を渦巻き形状に湾曲してその湾曲状態に保持する。
【０００４】
【発明が解決しようとする課題】
ところが、上記のような従来のパーマネントウエーブ形成保持具においては、軟質合成樹脂の板状本体にステンレス鋼や銅の針金を組み込むので、製作に安価ではない針金と多くの手間を要し、製作費が高価になる。
【０００５】
また、板状本体に組み込んだ針金は、湾曲を繰り返すので、切断して、その端が頭皮を傷付けるおそれがあり、危険である。
【０００６】
即ち、従来品は、高価で危険である。
【０００７】
本発明の目的は、上記のような従来の課題を解決することである。
【０００８】
【課題を解決するための手段】
本発明は、ペーパとクリップからなり、
ペーパは、合成樹脂シートの右側または左側の略半分を基部にし、他側の略半分の上側位置と下側位置にそれぞれ切り込みを左右方向に設けて、他側の略半分の上側と下側にそれぞれ帯状部を左右方向に形成し、他側の略半分の上側と下側の帯状部の間に、基部側に折り曲げる折り曲げ部を形成しており、
クリップは、ペーパの帯状部と基部を挟んで留める合成樹脂成形品であり、
ペーパの折り曲げ部を折り曲げて基部との間に毛髪を挟み、下側の帯状部が連結した基部の下側部を芯にして基部と折り曲げ部を巻き上げ、巻かれた基部に毛髪を巻き、下側の帯状部を基部側に折り曲げ、基部に巻かれた毛髪を横断した下側の帯状部の先端と、巻かれた基部の基端をクリップで挟んで留める構成にしたことを特徴とするパーマネントウエーブ形成保持具である。
【０００９】
【作用】
本発明においては、ペーパは合成樹脂シートを切断して製作され、クリップは合成樹脂を成形して製作され、製作に高価な部品と多くの手間を要せず、製作費が高価にならない。
【００１０】
また、ペーパに針金を組み込んでおらず、針金が切断して頭皮を傷付ける危険がない。
【００１１】
【発明の効果】
本発明は、安価になり、安全である。
【００１２】
【実施例】
本例のパーマネントウエーブ形成保持具は、ペーパ１とクリップ７からなる。
【００１３】
ペーパ１は、図１に示すように、合成樹脂シートを打ち抜き穴あけ加工して所望の形状に切断したものであり、長方形状の合成樹脂シートの右側の略半分を基部２にし、図１と図２に示すように、左側の略半分の上側位置と下側位置にそれぞれ切り込みを左右方向に設けて、左側の略半分の上側と下側にそれぞれ帯状部３，４を左右方向に形成し、左側の略半分の上側と下側の帯状部３，４の間に、基部２側に折り曲げる折り曲げ部５を形成し、折り曲げ部５の左右方向の長さを基部２の左右方向の長さより短くし、折り曲げ部５が折り曲げられて重なる基部２の部分と折り曲げ部５及び上側位置と下側位置の切り込みの端に複数のパーマ液通過孔６を貫通している。
【００１４】
ペーパ１の材料である合成樹脂シートは、厚さ１ｍｍ位の発泡ポリエチレンシートの表面に、細かい凹凸をエンボスした厚さ１５μｍ位のポリエチレンフイルムを積層した複合シートである。ペーパ１の寸法は、１３０〜１４０×８０〜９０ｍｍである。
【００１５】
クリップ７は、図３〜図５に示すように、合成樹脂成形品であり、下端が開いた二又形状の弾力のある挟み部８の閉鎖上端に円板形状の摘み部９を連結している。クリップ７の高さは、３０ｍｍ位である。
【００１６】
パーマネントウエーブを形成する場合、図６に示すように、ペーパ１の折り曲げ部５を細かい凹凸のある表面側を内側にして基部２側に折り曲げ、基部２と折り曲げ部５の間に鉛筆２本分位の毛髪ｈを挟み、その毛髪ｈの毛先を基部２と折り曲げ部５の間に配置し、毛髪ｈを挟んだ基部２と折り曲げ部５を左手で保持する。
【００１７】
下側の帯状部４が連結した基部２の下側部は、図７に示すように、手前上側に折り曲げて折り曲げ部５に重ね、毛髪ｈを挟んだ基部２と折り曲げ部５を、左手で保持しつつ、右手で基部２の下側部を芯にして手前上側に巻き上げる。
【００１８】
巻かれた基部２と折り曲げ部５は、図８に示すように、更に巻き上げて、基部２に毛髪ｈを巻き付け、所望の長さの毛髪ｈを渦巻き形状に湾曲する。なお、基部２に巻かれた毛髪ｈは、基部２の左端から外れるのが上側の帯状部３で防止される。
【００１９】
巻かれた基部２の中心から左方に突出した下側の帯状部４は、図９に示すように、右方の基部２側に折り曲げ、基部２に巻いた毛髪ｈを横断した下側の帯状部４の先端と、巻かれた基部２の基端をクリップ７で挟んで留め、毛髪ｈを渦巻き形状に湾曲した状態に保持する。
【００２０】
その後は、従来におけるのと同様であり、パーマ液を渦巻き湾曲状態の毛髪ｈに塗布する。
【００２１】
毛髪を巻く上記の説明は、右利きの人が行なう場合である。左利きの人が行なう場合は、ペーパ１の帯状部３，４と折り曲げ部５を右側に、基部２を左側にそれぞれ配置して同様に行なう。
【００２２】
ペーパ１は、軽くて弾性力があり、表面の細かい凹凸が毛髪の滑り止めになるので、毛髪に張力を加え易い。また、パーマ液と張力に耐えるので、数回のウエーブ形成に使用することができる。
【００２３】
クリップ７は、摘み部９を指で摘んで、下端が開いた弾力のある挟み部８を、帯状部４と基部２に押し付け、引き抜いて使用されるので、使用し易い。
【図面の簡単な説明】
【図１】本発明の実施例のパーマネントウエーブ形成保持具におけるペーパの正面図である。
【図２】図１のＡ−Ａ線断面図である。
【図３】同例のパーマネントウエーブ形成保持具におけるクリップの正面図である。
【図４】同例のパーマネントウエーブ形成保持具におけるクリップの側面図である。
【図５】同例のパーマネントウエーブ形成保持具におけるクリップの底面図である。
【図６】同例のパーマネントウエーブ形成保持具を使用する第１工程の正面図である。
【図７】同例のパーマネントウエーブ形成保持具を使用する第２工程の正面図である。
【図８】同例のパーマネントウエーブ形成保持具を使用する第３工程の正面図である。
【図９】同例のパーマネントウエーブ形成保持具を使用する第４工程の正面図である。
【符号の説明】
１  ペーパ
２  基部
３  上側の帯状部
４  下側の帯状部
５  折り曲げ部
７  クリップ
ｈ  毛髪
【図１】
0003579102.tif 000002
【図２】
0003579102.tif 000003
【図３】
0003579102.tif 000004
【図４】
0003579102.tif 000005
【図５】
0003579102.tif 000006
【図６】
0003579102.tif 000007
【図７】
0003579102.tif 000008
【図８】
0003579102.tif 000009
【図９】
0003579102.tif 000010